(57)【要約】【課題】  電磁波ノイズを発生する電子部品からの電磁波を効果的に遮蔽するとともに回路基板の視認性を確保でき、電磁波遮蔽手段の接地電位への接続が容易な制御装置を提供する。【解決手段】  電子部品（１２０）から発生する電磁波ノイズを遮蔽するための電磁波遮蔽手段（シールド板１３０）を、回路基板（１１０）を封止する基板ケース（１５０）側に設けて構成する。また、基板ケース（１５０）の内壁面に網目状導電部材（１４０）を貼付しこの網目状導電部材（１４０）を介して電磁波遮蔽手段（１３０）を電気的に接地電位に接続する。【選択図】  図３
2006326103.tif 000002
【特許請求の範囲】
【請求項１】
電子制御回路によって制御される遊技機の制御装置であって、回路基板と、該回路基板に実装された電磁波発生源となる電子部品が発生する電磁波を遮蔽する電磁波遮蔽手段と、前記回路基板を封止する基板ケースとを備え、前記電磁波遮蔽手段が前記基板ケース側に設けられることを特徴とする遊技機の制御装置。
【請求項２】
前記基板ケースの内壁面に導電部材が設けられ、前記電磁波遮蔽手段が前記導電部材を介して電気的に接地電位に接続されることを特徴とする請求項１に記載の遊技機の制御装置。
【請求項３】
前記導電部材は、金属細線を織網状に形成した網目状導電部材からなることを特徴とする請求項２に記載の遊技機の制御装置。
【請求項４】
前記電磁波遮蔽手段は、前記回路基板が前記基板ケースで封止されている状態で少なくとも一の方向から前記電磁波遮蔽手段の内部の電子部品を視認可能な形状であることを特徴とする請求項１乃至請求項３のいずれか１項に記載の遊技機の制御装置。
【請求項５】
前記電磁波遮蔽手段は、前記基板ケースに一体的に成型された壁面部に金属鍍金を施して構成されることを特徴とする請求項１乃至請求項４のいずれか１項に記載の遊技機の制御装置。
【発明の詳細な説明】
【技術分野】
【０００１】
本発明は、電子制御回路によって制御される遊技機の制御装置に関し、例えば、複数の識別情報を可変表示可能な可変表示装置を有し、前記複数の識別情報を可変表示させた後停止させ、停止した前記複数の識別情報の組み合わせが予め定められた特定の態様となったとき遊技者に有利な状態となるよう制御される遊技機の制御装置に関する。
【背景技術】
【０００２】
従来、弾球式遊技機や回胴式遊技機など、数字や図柄等の複数の識別情報を可変表示可能な可変表示装置を有し、この可変表示装置によって所定の始動条件の成立に従い複数の識別情報を可変表示させ、所定の停止条件の成立に従い可変表示を停止させ、停止したときの識別情報の組み合わせが予め定められた特定の態様（全て同じ識別情報が揃う等）となった場合に、大当たり又はボーナスゲーム等の遊技者にとって有利な遊技状態となるように制御される遊技機がある。
【０００３】
この種の可変表示装置を備えた遊技機においては、遊技性を高めるため、或いは遊技者の興趣を惹起するために、映像や音声による各種の効果演出がなされている。視覚的な効果の演出手段或いは遊技機内部の照明手段として、液晶表示装置、発光ダイオード（ＬＥＤ）、電球、蛍光灯等が使用されており、遊技の状況に応じてこれらの演出パターンを制御する制御回路及び電源回路を備えている。
【０００４】
蛍光灯の電源回路には周知のインバータ回路が利用される。インバータ回路には、高周波コイル等の電磁波ノイズを周囲に放出する電子部品が使用される。このため他の電子回路への電磁波ノイズの影響を防止するために、インバータ回路を金属若しくはカーボン等の導電性素材で作成した電磁波遮蔽ケースで被覆して電磁波を遮蔽していた。
【０００５】
或いは回路基板上の特定の電子部品が電磁波発生源の場合、その特定の電子部品からの電磁波を遮蔽するための電磁波遮蔽部材を、当該電子部品を被覆するように回路基板に固着したり、電磁波遮蔽部材を当該電子部品に非導電性素材で接着したりという手段が用いられていた。
【０００６】
このような電磁波遮蔽部材は、その電磁波遮蔽部材に滞留する電荷を放出するために、電磁波遮蔽部材に電線を半田等で接続し、その電線を接地電位に電気的に接続していた。
【０００７】
この種の遊技機には遊技者の射幸心を徒に高揚させることを防止するため、遊技機の性能、効果演出の機能等の細部に種々の規制があり、指定の検査機関の検査にてこれらの規制事項に適合していることの認定を受けなければ遊技機を市場に投入することができない。従って、この種の遊技機の制御に関わる回路基板は、指定の検査機関の検査にて適合認定を受けた後は、電子回路やその記憶装置（ＲＯＭやＲＡＭ等）の内容が不正に改造されないよう、基板ケースで封止されて外部からの異物の侵入や不正な改造を防止している。
【０００８】
また、何らかの不正行為が行われた場合にその不正行為を容易に発見できるよう、制御回路基板を封止する基板ケースは透明なプラスチック等で成型されており、制御回路基板が封止された状態で基板ケース外部から基板ケース内部の電子部品等を視認可能に構成していた。
【０００９】
【特許文献１】特開平５−１３１０４８号公報
【発明の開示】
【発明が解決しようとする課題】
【００１０】
このような遊技機において、制御回路とインバータ回路を同一基板上に構成する場合、或いは制御回路基板とインバータ回路基板を同一の基板ケースで封止する場合、これらの回路基板全体を電磁波遮蔽ケースで被覆すると電磁波遮蔽ケース内の電子部品等が外部から視認できないという課題があった。
【００１１】
電磁波発生源が特定の電子部品である場合、その特定の電子部品を遮蔽するための電磁波遮蔽部材を回路基板若しくは電子部品に固着すると、電磁波遮蔽部材が回路基板側に固着されているため、電磁波遮蔽部材の内部を容易には視認することができず、また、電磁波遮蔽部材の取り外しが困難という課題があった。
【００１２】
また、電磁波遮蔽部材を電気的に接地電位に接続する手段が煩雑であるという課題があった。
【００１３】
本発明はこのような従来の課題を解決するためになされたもので、電磁波ノイズを発生する電子部品からの電磁波を効果的に遮蔽するとともに回路基板の視認性を確保でき、電磁波遮蔽手段の接地電位への接続が容易な制御装置の提供を目的とする。
【課題を解決するための手段】
【００１４】
このような課題を解決するために請求項１に記載の発明は、電子制御回路によって制御される遊技機の制御装置であって、回路基板と、該回路基板に実装された電磁波発生源となる電子部品が発生する電磁波を遮蔽する電磁波遮蔽手段と、前記回路基板を封止する基板ケースとを備え、前記電磁波遮蔽手段が前記基板ケース側に設けられることを特徴とする。
【００１５】
この請求項１に記載の遊技機の制御装置は、電子部品が発生する電磁波を電磁波遮蔽手段が遮蔽するとともにこの電磁波遮蔽手段が基板ケース側に設けられる構成なので、基板ケース開封時に電磁波遮蔽手段が電子部品の被覆を開放し、回路基板の視認性を確保する。
【００１６】
請求項２に記載の遊技機の制御装置は、基板ケースの内壁面に導電部材が設けられ、電磁波遮蔽手段がこの導電部材を介して電気的に接地電位に接続される構成なので、電磁波遮蔽手段の接地電位への接続が容易になる。
【００１７】
請求項３に記載の遊技機の制御装置は、基板ケースの内壁面に設けられる導電部材が金属細線を織網状に形成した網目状導電部材で構成されるので、この網目状導電部材の任意の位置で接地電位に接続されるとともに、制御装置外部からの電磁波を遮蔽する。
【００１８】
請求項４に記載の遊技機の制御装置は、電磁波遮蔽手段が、回路基板が基板ケースで封止されている状態で少なくとも一の方向からその電磁波遮蔽手段の内部の電子部品を視認可能な形状に構成されるので、不正行為があった場合には基板ケースを開封することなく不正行為が発見される。
【００１９】
請求項５に記載の遊技機の制御装置は、電磁波遮蔽手段が基板ケースに一体的に成型された壁面部に金属鍍金を施して構成されるので、部品点数が少なく電磁波遮蔽手段の位置精度が高い。
【発明の効果】
【００２０】
本発明の請求項１に記載の遊技機の制御装置は、電磁波遮蔽手段が電子部品の発生する電磁波を遮蔽するとともに、この電磁波遮蔽手段が回路基板を封止する基板ケース側に設けられているので、検査機関での検査の際、基板ケースを開封するだけで容易に電磁波遮蔽手段が電子部品の被覆を開放し、回路基板全体を容易に視認可能とすることができる。
【００２１】
請求項２に記載の遊技機の制御装置は、上記請求項１に記載の制御装置の効果に加えて、電磁波遮蔽手段が、基板ケースの内壁面に設けられた導電部材を介して接地電位に接続される構成なので、電磁波遮蔽手段に滞留した電荷を容易に接地電位に放出することができる。
【００２２】
請求項３に記載の遊技機の制御装置は、上記請求項２に記載の制御装置の効果に加えて、導電部材が金属細線を織網状に形成した網目状導電部材で構成されるので、網目状導電部材の任意の箇所で接地電位への接続が可能であり、接地電位への接続に関する設計自由度が大きくなるとともに、制御装置の外部からの電磁波を遮蔽することができる。
【００２３】
請求項４に記載の遊技機の制御装置は、上記請求項１乃至請求項３のいずれかに記載の制御装置の効果に加えて、電磁波遮蔽手段が、回路基板が基板ケースで封止されている状態であっても少なくとも一の方向からその電磁波遮蔽手段の内部の電子部品を視認可能な形状で構成されるので、不正行為があった場合には基板ケースを開封することなく迅速に不正行為を発見することができる。
【００２４】
請求項５に記載の遊技機の制御装置は、上記請求項１乃至請求項４のいずれかに記載の制御装置の効果に加えて、電磁波遮蔽手段が基板ケースに一体的に成型された壁面部に金属鍍金を施して構成されるので、電磁波遮蔽手段の位置精度を高くすることができ、且つ部品点数を削減することができる。
【発明を実施するための最良の形態】
【００２５】
本発明は、数字やキャラクタの図柄等の複数の識別情報を可変表示可能な液晶表示器、回胴ドラム、７セグメントＬＥＤ等の可変表示装置を有する遊技機に用いて好適する制御装置である。これらの遊技機は、打球の特定入賞口への入賞や回胴スタートレバーの操作等、所定の始動条件の成立に従って識別情報の変動表示が開始され、識別情報の変動後、所定時間の経過やストップボタンの操作等、所定の停止条件に従って識別情報の変動が停止され、停止時の識別情報の組み合わせが予め定められた特定の態様（例えば「７７７」の様に同じ数字や図柄が揃う）となったときに遊技者に有利な遊技価値（特定入賞口の開成、ボーナスゲームの開始など）を付与するものである。
【００２６】
この種の遊技機は、遊技性を高めて遊技者の興趣を惹起するために、画像や音声によって各種の効果演出を行っている。従って、これらの効果演出を制御するための制御装置を備えている。
【００２７】
効果演出には視覚効果を高めるために各種の映像表示装置、ＬＥＤ、電球等とともに蛍光灯が用いられる。この蛍光灯の電源としてインバータ回路が搭載されている。インバータ回路は直流又は交流電源から高周波パルスを生成するものであり、その構成部品には高周波コイル等の電磁波発生部品を含んでいる。
【実施例１】
【００２８】
以下、本発明に係る回胴式遊技機としてスロットマシンを例にその好適な実施形態を説明する。ここで、図１はスロットマシンの外観を表す正面図、図２はスロットマシンの前扉を開放してその内部の構造を表した図である。
【００２９】
まず図１を参照し、スロットマシン１の外観構造を説明する。スロットマシン１は、いわゆるフロントマスクを形成する前扉２が略矩形状の箱体である筐体（図２の符号３参照）の開口部に対し開閉可能に取り付けられている。前扉２は、視覚効果を高めてデザインされた上部パネル部４、下部パネル部５及び操作卓６に概ね区分けされ、これらは硬質プラスチックにより一体的に形成されている。
【００３０】
上部パネル部４の上部及び側部には、高輝度の発光ダイオードを内蔵する演出用照明部７、８ａ、８ｂがそれぞれ配置されている。また、スピーカを内蔵し遊技に係る効果音を発生させる演出用放音部９ａ、９ｂが上部パネル部４の左右にそれぞれ配置されている。また、演出用放音部９ａ、９ｂの間には、遊技の演出に係る映像を主に表示する演出表示装置としての液晶表示ユニット１０が配置されている。
【００３１】
更に上部パネル部４には平板状のパネル面を有するパネルユニット１１が取り付けられ、その中央に略長方形の透明な表示窓１２が形成されている。表示窓１２を通して目視されるリール１３ａ、１３ｂ、１３ｃは、それぞれ円筒形状を有して独立して回転可能であり、筐体内において回転軸方向に３個配列されている。遊技者は、各リール１３ａ、１３ｂ、１３ｃの外周面に配置した複数種類の図柄（識別情報）のうち縦３個、横３列の図柄を、表示窓１２を通して目視することができる。
【００３２】
上部パネル部４と下部パネル部５との間に設けられている操作卓６には、ゲームに用いるメダルを投入するための投入口を有するメダル投入部１４と、ベットボタン１５と、スタートレバー１６と、ストップボタン１７ａ、１７ｂ、１７ｃがそれぞれ配設されている。
【００３３】
ベットボタン１５は、スロットマシンの当該ゲームに賭けるメダルの枚数を提示するための押圧操作可能なボタンスイッチである。スタートレバー１６は、リール１３ａ、１３ｂ、１３ｃの回転開始の操作をするための傾倒操作可能なレバースイッチである。リール１３ａ、１３ｂ、１３ｃの回転停止の操作をするためのストップボタン１７ａ、１７ｂ、１７ｃは、それぞれ押圧操作可能なボタンスイッチから形成され、各リールの配列に対応してそれぞれ並べて配置されている。
【００３４】
下部パネル部５には、スロットマシン１のモデルタイプを遊技者へ認識させる等のため、登場キャラクタの絵などを表示するパネル２１が設けられている。また、下部パネル部５の下側部には、メダルを貯留するための受皿部２３が形成された受皿ユニット２２が設けられている。また受皿ユニット２２には、入賞時にメダルを排出するメダル払出口２４と、スピーカを内蔵し演出効果音を発生させる演出用放音部２５とがそれぞれ配置されている。
【００３５】
次に、図２を参照して、筐体３の内部構造と前扉２の裏面構造とを説明する。同図において、筐体３内の上部には、ＣＰＵ、ＲＯＭ、ＲＡＭ等を備えるマイクロコンピュータから形成される制御基板であって、スロットマシン１の全体動作を集中して制御するメイン制御基板３０が硬質プラスチックの基板ケースに被覆されたメイン制御装置３１が取り付けられている。
【００３６】
筐体３内の中央には、リール１３ａ、１３ｂ、１３ｃを備える可変表示装置としてのリールユニット１３が設けられている。リールユニット１３は、前扉２のパネルユニット１１に形成された表示窓１２に対しリール１３ａ、１３ｂ、１３ｃが対向するように、筐体３のフレーム３２に位置決めされて取り付けられている。
【００３７】
また、リールユニット１３の上部には、各リール１３ａ、１３ｂ、１３ｃを回転駆動するステッピングモータへ４相の駆動パルス信号を送出する図示しない回胴装置基板が取り付けられており、メイン制御基板３０が回胴装置基板に回胴駆動（励磁）パルスデータを送出することで、各リールの回転と制動及び停止の制御を行っている。
【００３８】
リールユニット１３の下方には、メダル投入部１４から投入されたメダルを貯留し入賞の配当の際に排出口３３ａからメダルを排出するメダル払出装置としてのホッパ装置３３と、ホッパ装置３３から溢れたメダルを収容する補助貯留部３４と、スロットマシン１に内蔵される各機器へ電力を配電する主電源装置３５が設けられている。
【００３９】
次に、前扉２の裏面側上部には、上述の演出用照明部７を構成する発光ダイオード４３と、演出用放音部９ａ、９ｂ（図１参照）に対向するスピーカ４２ａ、４２ｂが取り付けられている。また、図２には示していないが、スピーカ４２ａ、４２ｂの間に、液晶表示ユニット１０が取り付けられ、液晶表示ユニット１０の裏面側に当該液晶表示ユニット等を制御駆動するサブ制御基板４０が基板ケースに被覆されたサブ制御装置４１が取り付けられている。
【００４０】
なお、スロットマシン１の全体の動作は、筐体３側に設けられているメイン制御基板３０によって統括制御されており、サブ制御基板４０は、液晶表示ユニット１０による演出映像の表示制御、演出用照明部７、８ａ、８ｂ等を使った照明制御、及び演出用放音部９ａ、９ｂ、２５を使った演出効果音制御など、ゲームの演出に係る制御を主に行なっている。
【００４１】
サブ制御装置４１の下方には、透明な表示窓１２が形成されたパネルユニット１１が配置される。また、パネルユニット１１は、リール１３ａ、１３ｂ、１３ｃの外周面を照射して図柄を明るく表示させるための冷陰極蛍光ランプ４４と、スタートレバー１６及びストップボタン１７ａ、１７ｂ、１７ｃ等の操作スイッチ類の出力信号をメイン制御基板３０へ転送する中継基板である中央表示基板４６とを備え、これらがユニット化されている。
【００４２】
パネルユニット１１の下方には、メダル選別装置４７が取り付けられている。メダル選別装置４７は、メダル投入部１４（図１参照）に投入されたメダルの適否を判別し、規定のメダルのみを選別する。メダル選別装置４７は、内蔵するメダルセンサが投入されたメダルを検知したとき、メダル投入コマンド信号をメイン制御基板３０へ送出している。
【００４３】
メダル選別装置４７の下方には、選別された規定のメダルをホッパ装置３３へ案内するためのガイド部材４８と、メダル選別装置４７により排除されたメダル（又は異物）をメダル排出口２４へ案内するためのガイド部材４９と、入賞の際にホッパ装置３３の排出口３３ａから排出されたメダルをメダル排出口２４へ案内するためのガイド部材５０が設けられている。更に、メダル排出口２４に隣接して、上述した演出用放音部２５に対向するスピーカ５１が取り付けられている。
【００４４】
かかる構成のスロットマシン１は、先のゲームにおいて入賞しメダルの払い出しが完了した時、又は先のゲームにおいてハズレが確定すると待機状態となる。この状態において、何れかのベットボタン１５が押圧操作されると、内部に貯留したメダル（クレジット）から当該ゲームにメダルが賭けられ、ゲームが開始する。
【００４５】
ゲーム開始の状態で、スタートレバー１６が傾倒操作されると、メイン制御基板３０はリール１３ａ、１３ｂ、１３ｃを一斉に回転させ始める。同時に入賞役を内部的な処理で抽選し、その結果を役抽選フラグ（メモリ）に記憶する。
【００４６】
次に、遊技者がストップボタン１７ａ、１７ｂ、１７ｃを任意の順番で押圧操作すると、メイン制御基板３０は、それに従い順次、対応するリールを停止させる。そして、全てのリール１３ａ、１３ｂ、１３ｃが停止したことを検知すると、各リールに表示された図柄の組み合わせが、上述の役抽選フラグに記憶された入賞役に係る図柄の組み合わせと一致しているか否か判定する。これらが一致したときには、当該入賞が確定し、その入賞役の種類に応じた配当数のメダルをクレジットに加算する。入賞の配当によりクレジットが上限を超える場合には、ホッパ装置３３から超過分のメダルを受皿部２３へ払い出している。
【００４７】
本発明の遊技機の制御装置は、上述したメイン制御装置３１、サブ制御装置４１等に好適するものである。図３及び図４は本発明の第１実施例を詳述するための図であり、図３は第１実施例の制御装置１００を示す分解斜視図、図４は図３の要部を示す側面図である。
【００４８】
図３において符号１１０は遊技機における各種の制御をするための電子回路を構成する回路基板である。この回路基板１１０には電子回路の主たる動作を実行する電子部品であるＩＣ１１２等が搭載されている。
【００４９】
符号１２０は、例えば高周波コイル等の電磁波発生源となる電子部品を示し、この電子部品１２０も回路基板１１０に搭載され、例えば蛍光ランプ４４（図２参照）の電源回路となるインバータ回路の構成部品となっている。
【００５０】
符号１３０は電子部品１２０が発生する電磁波を遮蔽する電磁波遮蔽手段としてのシールド板であり、長方形の金属板を側面が略コの字状となるよう折り曲げて形成された折曲片１３２を有し、中央部の面には止めねじ１８０が挿通される挿通孔１３３が形成されている。
【００５１】
符号１４０は金属細線を織網状に形成した網目状導電部材であり、後述する基板ケース１５０の内壁面に貼付される。また、この網目状導電部材１４０は、図示しない接地用電線を介して接地電位に接続される。
【００５２】
符号１５０は透明プラスチック製の基板ケースであり、下ケース１９０に載置された回路基板１１０が不正改造されないよう、ねじ１１３で下ケース１９０に固着されて回路基板１１０を封止するものである。
【００５３】
符号１８０はシールド板１３０を網目状導電部材１４０を介して基板ケース１５０に固着するための止めねじであり、基板ケース１５０に形成されたねじ孔１５１に螺入される。符号１１１は回路基板に形成された貫通孔であり、シールド板１３０の折曲片１３２の先端部分が遊挿されるものである。
【００５４】
これら下ケース１９０、この下ケース１９０に載置されるＩＣ１１２及び電子部品１２０を含む回路構成部品を搭載した回路基板１１０、基板ケース１５０、この基板ケース１５０の内壁面に貼付される網目状導電部材１４０、及び網目状導電部材１４０を介して基板ケース１５０のねじ孔１５１に止めねじ１８０にて固着されるシールド板１３０にて遊技機の制御装置１００が構成されている。
【００５５】
図４は図３の要部側面図であり、図４（Ａ）は図３の回路基板１１０の短手方向から見た制御装置１００を組み立てる際の各部品の位置関係を示す図であり、図４（Ｂ）は回路基板１１０を基板ケース１５０で封止して制御装置１００を組み立てた状態を示す図である。また図４（Ｃ）は図４（Ａ）の状態を図３の回路基板１１０の長手方向から見た図であり、図４（Ｄ）は図４（Ｂ）の状態を同じく回路基板１１０の長手方向から見た図である。
【００５６】
高周波コイル等の電磁波発生源となる電子部品１２０を搭載した回路基板１１０は、下ケース１９０に形成された位置決め部材に案内されて下ケース１９０の所定の位置に載置される。
【００５７】
基板ケース１５０の内壁面には金属製の細線を網目状に織り込んで形成した網目状導電部材１４０が貼付される。この網目状導電部材１４０には図示しない接地用電線が接続され、その接地用電線を介して制御装置外部の接地電位に電気的に接続されている。またこの網目状導電部材１４０の網目は、基板ケース１５０の外部から回路基板１１０が容易に視認可能な大きさに形成されている。
【００５８】
電磁波遮蔽手段となるシールド板１３０は、略長方形の短冊状の金属板の両端を中央部の面１３１に対して同方向に略直角に折り曲げた折曲片１３２、１３２を有し、中央部の面１３１にはこのシールド板１３０を基板ケース１５０に固着する止めねじ１８０が挿通される挿通孔１３３が形成されている。
【００５９】
このシールド板１３０は、止めねじ１８０によって網目状導電部材１４０を介して基板ケース１５０に固着されるが、この状態でシールド板１３０と網目状導電部材１４０が電気的に導通する。
【００６０】
回路基板１１０が載置された下ケース１９０に、網目状導電部材１４０及びシールド板１３０が固着された基板ケース１５０を複数のねじ１１３（図３参照）で固着して制御装置１００が構成される。このように構成された遊技機の制御装置１００は、シールド板１３０が、シールド板１３０の２つの折曲片１３２と中央部の面１３１にて電磁波発生源の電子部品１２０を３方向から被覆し、電子部品１２０から発生する電磁波を吸収遮蔽する。また、シールド板１３０に滞留する電荷は、シールド板１３０の中央部の面１３１から網目状導電部材１４０を通じ、この網目状導電部材１４０に接続された図示しない接地用電線から接地電位へと導かれる。
【００６１】
検査機関での検査の際には、シールド板１３０が回路基板１１０側ではなく基板ケース１５０側に固着されているので、基板ケース１５０を開封することで、基板ケース１５０とともにシールド板１３０を電子部品１２０の被覆から開放することができ、回路基板１１０全体が容易に視認可能となる。
【００６２】
また、基板ケース１５０を封止した後も、網目状導電部材１４０の網目が基板ケース１５０の外部から基板ケース１５０内の回路基板１１０を視認可能な大きさであり、シールド板１３０が回路基板１１０の短手方向から見てシールド板１３０に被覆された電子部品１２０を視認可能な形状に構成されているので、制御装置１００内の電子回路や電子部品（ＩＣや図示しないＲＯＭ等）に不正な改造がなされた場合は、基板ケース１５０を開封することなく容易に不正行為を発見することができる。
【実施例２】
【００６３】
図５は本発明の第２実施例を示す要部側面図であり、図５（Ａ）は回路基板１１０の短手方向から見た制御装置２００を組み立てる際の各部品の位置関係を示す図であり、図５（Ｂ）は回路基板１１０を基板ケース１６０で封止して制御装置２００を組み立てた状態を示す図である。また図５（Ｃ）は図５（Ａ）の状態を回路基板１１０の長手方向から見た図であり、図５（Ｄ）は図５（Ｂ）の状態を同じく回路基板１１０の長手方向から見た図である。
【００６４】
この第２実施例では、電磁波遮蔽手段としてのシールド部材１６５の構成が上述した第１実施例と異なる。即ち、第２実施例において、電子部品１２０から発生する電磁波を遮蔽するシールド部材１６５は、透明な基板ケース１６０の天面から一体的に突設成型された一対の壁面部１６２、１６２を有し、この壁面部１６２、１６２の外周面及びこれら一対の壁面部１６２、１６２の間の天面部１６３に金属鍍金１６１を施して構成されている。
【００６５】
このように構成された遊技機の制御装置２００は、シールド部材１６５が、シールド部材１６５の２つの壁面部１６２、１６２とそれらの間の天面部１６３に施された金属鍍金１６１にて電磁波発生源の電子部品１２０を３方向から被覆し、電子部品１２０から発生する電磁波を吸収遮蔽する。また、シールド部材１６５に滞留する電荷は、シールド部材１６５の壁面部１６２、１６２の電子部品１２０と対向しない面側から網目状導電部材１４０を通じてこの網目状導電部材１４０に接続された図示しない接地用電線から接地電位へと導かれる。
【００６６】
検査機関での検査の際には、シールド部材１６５が回路基板１１０側ではなく基板ケース１６０側に一体的に成型されているので、基板ケース１６０を開封することで、基板ケース１６０とともにシールド部材１６５を電子部品１２０の被覆から開放することができ、回路基板１１０全体が容易に視認可能となる。
【００６７】
この第２実施例では、シールド部材１６５を基板ケース１６０から一体成型した壁面部１６２、１６２に金属鍍金１６１を施して構成しているので、シールド部材１６５の位置精度を高められるとともに部品点数を削減することができる。
【００６８】
また、基板ケース１６０を封止した後も、網目状導電部材１４０の網目が基板ケース１６０の外部から基板ケース１６０内の回路基板１１０を視認可能な大きさであり、シールド部材１６５が回路基板１１０の短手方向からシールド部材１６５に被覆された電子部品１２０を視認可能な形状に構成されているので、制御装置２００内の電子回路や電子部品（ＩＣや図示しないＲＯＭ等）に不正な改造がなされた場合は、基板ケース１６０を開封することなく容易に不正行為を発見することができる。
【００６９】
以上本発明の実施例について詳述したが、本発明はこれらに限定されることなく種々の形態で実施できるものである。例えば、電磁波遮蔽効果を高めるために電磁波遮蔽手段が電子部品を四方から被覆する構成にしてもよい。また、基板ケースの内壁面に設けられる導電部材は必ずしも網目状導電部材でなくてもよい。また、制御回路基板と電源回路（インバータ回路）基板とを別々の基板で構成してもよい。
【産業上の利用可能性】
【００７０】
本発明は、電磁波（放射ノイズ）を発生する電子部品を搭載した回路基板を基板ケースで封止する必要のある遊技機の制御装置に利用することができる。
【図面の簡単な説明】
【００７１】
【図１】本発明に係る遊技機としてのスロットマシンの正面図である。
【図２】図１のスロットマシンの内部構造を表した図である。
【図３】本発明の制御装置の第１実施例を示す分解斜視図である。
【図４】図３の要部を示す側面図である。
【図５】本発明の制御装置の愛２実施例の要部を示す側面図である。
【符号の説明】
【００７２】
１００、２００  制御装置
１１０  回路基板
１２０  電子部品（電磁波発生源）
１３０、１６５  電磁波遮蔽手段（シールド板、シールド部材）
１４０  網目状導電部材
１５０、１６０  基板ケース
１６１  金属鍍金
１６２  壁面部
１９０  下ケース
【図１】
2006326103.tif 000003
【図２】
2006326103.tif 000004
【図３】
2006326103.tif 000005
【図４】
2006326103.tif 000006
【図５】
2006326103.tif 000007